【事件の表示】
　特許第３２４８６８５号「除塵ヘッド」の請求項１、２に係る特許に対する特許異議の申立てについて、次のとおり決定する。
【結　論】
　訂正を認める。
　特許第３２４８６８５号の請求項１に係る特許を維持する。
【理　由】
〔１〕訂正の適否についての判断
(1)訂正の内容
　ア．訂正事項ａ
　特許請求の範囲の請求項１の記載について、「シート体１に付着した塵Ｒを取り除くための除塵ヘッドに於て、上流側塵吸入口３と下流側塵吸入口４と、該上流側塵吸入口３と下流側塵吸入口４の間に設けられると共にシート体１から離間して該シート体１に超音波エアＥを噴出するスリット状の噴出ノズル５を、有することを特徴とする除塵ヘッド。」を、
「シート体１に付着した塵Ｒを取り除くための除塵ヘッドに於て、上流側塵吸入口３と下流側塵吸入口４と、該上流側塵吸入口３と下流側塵吸入口４の間に設けられると共にシート体１から離間して該シート体１に超音波エアＥを噴出するスリット状の噴出ノズル５を、有
し、側方から見て、上記噴出ノズル５が該シート体１に対して下流側へ傾斜して形成され、上記シート体１に下流側への送りを与えるよう該噴出ノズル５から上記超音波エアＥを斜め下流側へ噴出させる
　イ．訂正事項ｂ
　特許請求の範囲の請求項２を削除し、請求項３を新たな請求項２とする。
　ウ．訂正事項ｃ
　明細書の段落【0005】の「【課題を解決するための手段】上述の目的を達成するために、本発明は、シート体に付着した塵を取り除くための除塵ヘッドに於て、上流側塵吸入口と下流側塵吸入口と、該上流側塵吸入口と下流側塵吸入口の間に設けられると共にシート体から離間して該シート体に超音波エアを噴出するスリット状の噴出ノズルを、有するものである。」を、
「【課題を解決するための手段】上述の目的を達成するために、本発明は、シート体に付着した塵を取り除くための除塵ヘッドに於て、上流側塵吸入口と下流側塵吸入口と、該上流側塵吸入口と下流側塵吸入口の間に設けられると共にシート体から離間して該シート体に超音波エアを噴出するスリット状の噴出ノズルを、有
し、側方から見て、上記噴出ノズルが該シート体に対して下流側へ傾斜して形成され、上記シート体に下流側への送りを与えるよう該噴出ノズルから上記超音波エアを斜め下流側へ噴出させる
る。
　エ．訂正事項ｄ
　明細書の段落【0006】を削除し、特許明細書の段落【0007】以降の段落番号を１つずつ繰り上げる。
　オ．訂正事項ｅ
　明細書の段落【0021】の「（請求項２によれば）」を、「さらに、」と訂正する。（訂正後の明細書の段落【0020】となる。）
　カ．訂正事項ｆ
　明細書の段落【0022】の「（請求項３によれば）」を、「（請求項２によれば）」と訂正する。（訂正後の明細書の段落【0021】となる。）
　
(2)訂正の目的の適否、新規事項の有無及び拡張・変更の存否
　上記訂正事項ａは、「側方から見て、上記噴出ノズル５が該シート体１に対して下流側へ傾斜して形成され、上記シート体１に下流側への送りを与えるよう該噴出ノズル５から上記超音波エアＥを斜め下流側へ噴出させる」事項を特許請求の範囲の請求項１に追加して限定するものである（以下、「追加事項」という。）から、特許請求の範囲の減縮を目的とするものであり、上記追加事項は、願書に添付された明細書（以下、「特許明細書」という。）の段落【0013】、【0015】に記載されているものと認められるから、新規事項の追加に該当しない。
　上記訂正事項ｂは、特許請求の範囲の請求項２の記載事項を削除し、請求項３を請求項２に繰り上げることであるから、特許請求の範囲の減縮及び明りょうでない記載の釈明を目的とするものであり、新規事項の追加に該当しない。
　上記訂正事項ｃ〜ｆは、上記訂正事項ａ及びｂの訂正にともない、上記訂正事項ａ及びｂと整合を図るものであるから、明りょうでない記載の釈明を目的とするものであり、新規事項の追加に該当しない。
　そして、いずれの訂正事項も実質的に特許請求の範囲を拡張又は変更するものではない。
　
(3)独立特許要件について
　特許明細書の請求項３（訂正明細書の請求項２に相当）の発明は、異議申立てされていないが、請求項１を引用した発明であるから、実質上特許請求の範囲の減縮を目的とした訂正がなされていることになるため、独立特許要件の検討をするに、下記〔２〕の判断で明らかなように、請求項１に係る発明が刊行物１、２、甲第２号証に基いて当業者が容易に発明をすることができたものとすることができない以上、刊行物１、２、甲第２号証に基いて当業者が容易にすることができず、独立特許要件がないとすることはできない。
　
(4)むすび
　以上のとおりであるから、上記訂正は、特許法第120条の４第２項及び同条第３項において準用する特許法第126条第２〜４項までの規定に適合するので、当該訂正を認める。
　
〔２〕特許異議申立てについての判断
(1)本件発明
　特許第3248685号の請求項１に係る発明（以下、「本件発明」という。）は、上記〔１〕で示したように上記訂正が認められるから、上記訂正請求に係る訂正明細書の特許請求の範囲の請求項１に記載された事項により特定されるとおりのものである。（上記〔１〕(1)ア．訂正事項ａ参照）
　
(2)刊行物に記載された発明
　取消理由で引用した刊行物１（米国特許第4594748号明細書、異議申立人の提出した甲第１号証）には、ウェブから粒子を除くための方法またはウェブクリーナに関する装置の発明が記載され、該発明は、エアが中央チャンバーへ供給され、スリット７を通じてエアを噴出し、スリット開口のおのおのの側に二個のエッジまたは二個のドクターブレード10，11が存在し、実質的にスリット７の全長にわたって拡げられ、スリット７を通じてエアが流れるとき、エッジの傾斜する側壁によりエアフローは拡がり、エアフローがウェブに到達した後でエアフローは前後に曲がり、ウェブの逆方向・順方向のエアフローはスリット８，６へ流れ、スリットを通じてそれぞれの負圧の内部チャンバー５，３に流れ、スリット６，８には、ブレード12，13およびブレード15，16が設けられており、微振動は乱流のエアフローにより発生し、ウェブ近傍のエア境界層を貫通し、境界槽内の粒子にあたってこれら粒子を取り除くものである。
　
　同じく刊行物２（特開平7-68226号公報、同甲第３号証）には、除塵装置に関する発明が記載され、超音波発生器６は、図２に示すように、第１噴出ノズル11又は第２噴出ノズル12に平行な連続溝13を有するブロック体からなり、前記第１噴出ノズル11と第２噴出ノズル12は、それぞれ、相対抗する傾斜溝を有し、上流側排出室2aの底壁部8aと、下流側排出室2bの底壁部8aの孔からエアを噴出し、すなわち、第１噴出ノズル11と第２噴出ノズル12は、相対抗する傾斜角度でエアを噴出し、吸引ノズル９で該エアを吸引するように、ケーシング４の下面側に配設する除塵装置が記載されている。
　
　異議申立人の提出した甲第２号証（特開平7-77477号公報）には、被検査対象に検査用圧力気体を充満する検査用気体供給手段と、上記被検査対象の外周部をなぞることにより、ほぼ40[kHz]の超音波ノイズの有無を検出するリーク検出器とを具えることを特徴とするリーク検出装置が記載されている。
　
(3)対比・判断
　本件発明と刊行物１に記載された発明を対比すると、両者は、「シート体に付着した塵を取り除くための除塵ヘッドに於て、上流側塵吸入口と下流側塵吸入口と、該上流側塵吸入口と下流側塵吸入口の間に設けられると共にシート体から離間して該シート体にエアを噴出するスリット状の噴出ノズルを、有」する点で一致しているが、
　除塵ヘッドにおいて、前者は、「側方から見て、噴出ノズルがシート体に対して下流側へ傾斜して形成され、上記シート体に下流側への送りを与えるよう該噴出ノズルから上記超音波エアを斜め下流側へ噴出させ」たのに対し、後者は、上記構成を有しない。
　また、刊行物２及び甲第２号証にも上記構成の開示がない。
　なるほど、刊行物２には、噴出ノズルが傾斜した構成が記載されているが、図２、５に図示されたものは、上流側及び下流側にそれぞれ対抗するように設けられており、噴出ノズルのエアが「シート体に下流側への送りを与えるよう」になっていないし、かつ図９に図示されたものも、噴出ノズルのエアがシート体の移動方向とは反対の方向に噴出しているから、噴出ノズルのエアが「シート体に下流側への送りを与えるよう」にはなっていない。　
　そして、本件発明は、上記構成を有することにより、「噴出ノズルからの超音波エアにて、シート体に下流側への送り力を与えることができ、シート体をスムースに下流側へ送ることができる。」という明細書に記載の効果を奏することができるものである。
　
　したがって、本件発明は、刊行物１、２及び甲第２号証に基いて当業者が容易に発明をすることができたものとはいえない。
　
〔３〕むすび
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１５年５月２９日（２００３．５．２９）
【訂正の要旨】
（１）　訂正の要旨は、特許第３２４８６８５号明細書を、本件訂正請求書に添付の明細書の通り、訂正する。
（２）　即ち、明細書の特許請求の範囲の請求項１において、「側方から見て、上記噴出ノズル５が該シート体１に対して下流側へ傾斜して形成され、上記シート体１に下流側への送りを与えるよう該噴出ノズル５から上記超音波エアＥを斜め下流側へ噴出させる」
という「噴出ノズル５」の構成についての訂正を行う。
（３）　また、訂正前の明細書の特許請求の範囲の請求項２を削除し、訂正前の請求項３を請求項２とする訂正を行う。
（４）　また、明細書の段落【０００５】において、「側方から見て、上記噴出ノズ
ルが
体に
体に
ルか
アを
という「噴出ノズ
ル」
（５）　
また、訂正前の明細書の段落【０００６】の記載事項を削除し、訂正前の明細書の段落【０００７】以降の記載事項を１つずつ繰り上げる訂正を行う。つまり、訂正後の明細書の段落【０００６】〜【００２１】の記載事項は、訂正前の（願書に添付された）明細書の段落【０００７】〜【００２２】に対応する記載事項である。
（６）
訂正前の
１
　「さらに、」
に訂正する
（訂正後の明細書の段落【００２０】となる）
（７）
訂正前の
２
　「（請求項２によれば）」
に訂正する
（訂正後の明細書の段落【００２１】となる）
（５４）【発明の名称】
除塵ヘッド
（５７）【特許請求の範囲】
　【請求項１】　シート体１に付着した塵Ｒを取り除くための除塵ヘッドに於て、上流側塵吸入口３と下流側塵吸入口４と、該上流側塵吸入口３と下流側塵吸入口４の間に設けられると共にシート体１から離間して該シート体１に超音波エアＥを噴出するスリット状の噴出ノズル５を、有
し、側方から見て、上記噴出ノズル５が該シート体１に対して下流側へ傾斜して形成され、上記シート体１に下流側への送りを与えるよう該噴出ノズル５から上記超音波エアＥを斜め下流側へ噴出させる
　【請求項２】　
弧状口部１７がケーシング６の両端キャップ部１１のシート体１側の面に、両端部が上流側塵吸入口３と下流側塵吸入口４に連続するよう開設されている
【発明の詳細な説明】
　【０００１】
　【発明の属する技術分野】
　本発明は、除塵ヘッドに関する。
　【０００２】
　【従来の技術】
　紙、フィルム、アルミ箔等の長尺シート体に付着した塵を取り除くための除塵装置としては、従来、図４に示すように、２つのローラｂ，ｂを、長尺シート体ａがＳ字状を描いて蛇行走行するように配置し、そのローラｂ，ｂの外周面に近接して、超音波エア噴出口と塵吸入口を有する除塵ヘッドｃ，ｃを配設したものが公知であった。
　【０００３】
　【発明が解決しようとする課題】
　しかし、上述のような従来の除塵装置では、２つのローラｂ，ｂと２つの除塵ヘッドｃ，ｃを別々の箇所に配置すると共に、シート体ａを蛇行させるようにするので、大きな設置スペースが必要となるという問題があった。また、ローラｂを回転駆動させるモータ等が必要なため、部品点数が多くなると共に、構造が複雑となるという問題があった。
　【０００４】
　そこで、本発明は、例えば、上述の問題を解決して、長尺シート体に当接するローラやそれを駆動するモータ等の補助的な部品を設けずとも長尺シート体の表裏両面を同時に塵を除去することができる装置を、実施するのに貢献できる除塵ヘッドを提供することを目的とする。
　【０００５】
　【課題を解決するための手段】
　上述の目的を達成するために、本発明は、シート体に付着した塵を取り除くための除塵ヘッドに於て、上流側塵吸入口と下流側塵吸入口と、該上流側塵吸入口と下流側塵吸入口の間に設けられると共にシート体から離間して該シート体に超音波エアを噴出するスリット状の噴出ノズルを、有
し、側方から見て、上記噴出ノズルが該シート体に対して下流側へ傾斜して形成され、上記シート体に下流側への送りを与えるよう該噴出ノズルから上記超音波エアを斜め下流側へ噴出させる
る。
　【０００６】
　
ま
　【０００７】
　【発明の実施の形態】
　以下、実施の形態を示す図面に基づいて本発明を詳説する。
　【０００８】
　図１と図２は、本発明に係る除塵ヘッド２を有する除塵装置の実施の一形態の断面側面図と要部底面図を示し、この装置は、紙、フィルム、アルミ箔等から成る薄膜帯状の長尺シート体１に付着した塵Ｒを取り除くためのものであり、例えば、長尺シート体１を巻取る巻取機や長尺シート体１に印刷を施す印刷機等のシート体走行路に沿って設置される。しかして、この除塵装置は、一対の除塵ヘッド２，２と、図示省略のブロワーユニットと、を備える。
　【０００９】
　本発明に係る除塵ヘッド２は、上流側塵吸入口３と下流側塵吸入口４と、その上流側塵吸入口３と下流側塵吸入口４の間に設けられると共に超音波エアＥを噴出する噴出ノズル５と、を有する。しかして、一対のこのような除塵ヘッド２，２を、長尺シート体１の両面側に、各塵吸入口３，３，４，４と上記噴出ノズル５，５が対称となるように配設する。
　【００１０】
　具体的には、除塵ヘッド２は、長尺シート体１の走行方向に直交する方向に配設されるケーシング６と、そのケーシング６内に設けられる超音波発生器１２と、から成る。ケーシング６は、横断面形状に於て、仕切壁７，７にて区画される上流側と下流側の２つの負圧室８，８及び一部が２つの負圧室８，８の間に位置する正圧室９を有する押出型材から成る角筒状部１０と、その角筒状部１０の両端部に固着されると共に２つの負圧室８，８を相互に連通連結しかつ正圧室９の両端部を塞ぐ両端キャップ部１１，１１と、から成る。上記超音波発生器１２は、スリット部１４とそのスリット部１４の途中部に形成される拡大部１５，１５とから成る超音波発生孔１６を有するブロック体から成り、角筒状部１０の正圧室９内の長尺シート体１側に、長手方向全体にわたるように固定される。
　【００１１】
　また、負圧室８には、その負圧室８からエアを吸い出す図示省略のエア吸引路が連通連結され、正圧室９には、その正圧室９内に正圧エアを供給する図示省略のエア供給路が連通連結される。そして、ブロワーユニットからエア供給路を介して正圧室９にエアが供給され、負圧室８内のエアがエア吸引路及び除塵用のフィルタ等を介してブロワーユニットに戻るように構成されている。
　【００１２】
　また、図３に拡大して示すように、スリット状の噴出ノズル５は、正圧室９の超音波発生器１２の長尺シート体１側の外壁部に、角筒状部１０の長手方向全長にわたって開設される。かつ、その噴出ノズル５は、側方から見て、長尺シート体１に対して下流側へ傾斜して形成されている。即ち、噴出ノズル５から超音波エアＥが斜め下流側へ噴出するように構成されている。また、上流側塵吸入口３と下流側塵吸入口４は、上流側と下流側の負圧室８，８の長尺シート体１側の外壁部に、角筒状部１０の長手方向全長にわたって開設される。その塵吸入口３，４は、側方から見て外部へ次第に拡大するように形成される。
　【００１３】
　さらに、図２に示すように、ケーシング６の両端キャップ部１１，１１のシート体１側の面に、両端部が上流側塵吸入口３と下流側塵吸入口４に連続する弧状口部１７，１７を開設する。その弧状口部１７，１７は、一対の除塵ヘッド２，２の両端部に於て対向状に開口する。（図３にもどって）角筒状部１０のシート体１側の外面の塵吸入口３，４の噴出ノズル５側に、凹面部１３，１３を形成する。また、除塵ヘッド２，２と長尺シート体１との間隔寸法Ｂ，Ｂを、５００〜１５００μｍとする。
　【００１４】
　しかして、各除塵ヘッド２，２の噴出ノズル５，５から高速（１５０〜２００ｍ／ｓｅｃ程度）の超音波エアＥ，Ｅを噴出させると共に、塵吸入口３，３，４，４から負圧室８…内にエアを吸入する。このとき、噴出ノズル５，５と塵吸入口３，３，４，４が長尺シート体１を挟んで対称位置にあるため、ヘッド２，２とシート体１の表裏面の間におけるエア圧が同等となり、シート体１がヘッド２，２の間の中間部に浮いた状態に位置して、シート体１は除塵ヘッド２，２に接触しない。従って、噴出ノズル５，５からの超音波エアＥ，Ｅの噴出と、塵吸入口３，３，４，４からのエアの吸入が、安定する。さらに、噴出ノズル５は、側方から見て、長尺シート体１に対して下流側へ傾斜しているので、シート体１に下流側への送りを与えることができる。
　【００１５】
　また、一般に、物体の表面をエアが高速で流れると境界層が生じるが、この除塵装置によれば、超音波エアＥ，Ｅが長尺シート体１の表裏面に当たるので境界層は超音波によって破壊され、シート体１の表裏面に高速なエアが直接当たり、いわゆるエアナイフの効果により塵Ｒがシート体１表面から剥離する。その剥離した塵Ｒは、エア流に載って塵吸入口３，３，４，４から負圧室８…内に吸入され、さらに、図示省略のエア吸引路を通ってフィルタ等の集塵部に溜められる。これにより、長尺シート体１の表裏両面から塵Ｒを確実に除去できる。
　【００１６】
　また、除塵ヘッド２，２の両端部に於て、弧状口部１７…が対向状に開口するので、噴出ノズル５からの超音波エアＥによりシート体１から剥離された塵Ｒは、除塵ヘッド２，２の両端から外方へ飛散せず、シート体１に塵Ｒが再付着するのを防止できる。
　【００１７】
　しかして、この除塵ヘッド２を一対、長尺シート体１の両面側に配設することにより、長尺シート体１に当接するローラやそれを駆動するモータ等を設けずとも長尺シート体１と除塵ヘッド２の間の隙間を一定に保つことができ、かつ、長尺シート体１の表裏両面から同時に塵Ｒを除去することができる。従って、部品点数が少なくなると共に構造が簡単となる。かつ、狭い設置スペースにでも簡単に設置することができる。また、印刷機や巻取機等の既設のラインに簡単に付加することができる。従って、例えば、グラビア印刷機に付加すれば、紙（長尺シート体１）を介して版ロールに塵が付くのを防止できるので、版ロールの寿命を長くすることができる。また、図１〜３に於て、除塵ヘッド２の２つの負圧室８，８とその間の正圧室９の夫々の両端部を、両端キャップ部１１，１１にて塞いでも良い場合がある。
　【００１８】
　【発明の効果】
　本発明は上述の如く構成されているので、次に記載する効果を奏する。
　【００１９】
　（請求項１によれば）超音波エアＥを噴出する噴出ノズル５を有することで、（物体の表面にエアが高速で流れると生じる）境界層は、超音波により破壊され、そこに高速なエアが直接当り、エアナイフの効果により塵Ｒはシート体１表面から剥離する。その剥離した塵Ｒはエア流により塵吸入口３，４から負圧室８，８内に吸入され、塵Ｒは確実に除去される。
　【００２０】
　
さらに、
　【００２１】
　（請求項
２
【図面の簡単な説明】
　【図１】
　本発明の実施の一形態の断面側面図である。
　【図２】
　要部底面図である。
　【図３】
　要部拡大断面側面図である。
　【図４】
　従来例の側面図である。
　【符号の説明】
　１　シート体
　２　除塵ヘッド
　３　上流側塵吸入口
　４　下流側塵吸入口
　５　噴出ノズル
　Ｅ　超音波エア
　Ｒ　塵